(57)【要約】【課題】  作動初期の出力の立ち上がりが小さいガス発生器の提供。【解決手段】  点火器組立体10に被せたカップ部材20内部を第１仕切板31、第２仕切板32で、３つの燃焼室41、42、43に分離する。作動時、第２燃焼室42の第２ガス発生剤52が先に燃焼し、遅れて他の２つの燃焼室42、43のガス発生剤が燃焼するため、作動初期の出力の立ち上がりが抑制される。【選択図】  図１
2008068792.tif 000002
【特許請求の範囲】
【請求項１】
着火部を有する１つの点火器が点火器カラーに固定された点火器組立体と、少なくとも前記点火器の着火部を含む部分を覆う外側カップ部材とを有しているガス発生器であって、
前記カップ部材内部が１又は２以上の仕切部材により、２以上の燃焼室に分離され、前記１又は２以上の燃焼室にガス発生剤が収容されており、
前記点火器の作動により、１つの燃焼室内が発熱することで他の燃焼室内のガス発生剤の燃焼が開始される、シートベルトリトラクタ用ガス発生器。
【請求項２】
前記外側カップ部材内部が、２つの仕切部材により、軸方向に３つの燃焼室が形成されるように分離されており、前記３つの燃焼室の内、中間の燃焼室が前記着火部を含んでおり、全ての燃焼室にガス発生剤が収容されている、請求項１記載のシートベルトリトラクタ用ガス発生器。
【請求項３】
前記外側カップ部材内部が、１つの仕切部材により、２つの燃焼室に分離され、一方の燃焼室内に前記着火部が位置し、前記仕切部材が２つの燃焼室を連通する連通孔を有しており、前記連通孔の開口面積を調整することにより、他の燃焼室への伝火を調整する、請求項１又は２記載のシートベルトリトラクタ用ガス発生器。
【請求項４】
前記外側カップ部材内部が、１つの仕切部材により、２つの燃焼室に分離され、一方の燃焼室内に前記着火部が位置し、前記仕切部材が２つの燃焼室を連通する連通孔を有しており、前記連通孔の開口位置を調整することにより、他の燃焼室への伝火を調整する、請求項１〜３のいずれかに記載のシートベルトリトラクタ用ガス発生器。
【請求項５】
前記１つの仕切部材が、前記着火部に被せられた内側カップ部材であり、前記内側カップ部材の外側に更に前記外側カップ部材が被せられており、
前記内側カップ部材が、前記連通孔を有する外壁面と前記連通孔を有していない外壁面からなり、前記連通孔を有する外壁面と前記外側カップ部材の内壁面との間隔が、前記連通孔を有していない外壁面と前記外側カップ部材の内壁面との間隔よりも小さい、請求項３又は４記載のシートベルトリトラクタ用ガス発生器。
【請求項６】
前記内側カップ部材の連通孔を有する外壁面が底面であり、前記内側カップ部材の連通孔を有していない外壁面が周面であるか、又は前記内側カップ部材の連通孔を有する外壁面が周面であり、前記内側カップ部材の連通孔を有していない外壁面が底面である、請求項５記載のシートベルトリトラクタ用ガス発生器。
【発明の詳細な説明】
【技術分野】
【０００１】
本発明は、シートベルトリトラクタ用ガス発生器に関する。
【背景技術】
【０００２】
自動車等の各種車両には、衝突時に生じる衝撃から乗員を保護するため、シートベルトを引っ張って乗員を保護するためのプリテンショナー機構を有するシートベルトが採用されている。
一般に、かかるシートベルト用のプリテンショナーは、シートベルトを引っ張るための機構と、この機構を作動させるためのガス発生器とを含んで構成されており、全体容積の小さい小型ガス発生器が使用されている。この小型ガス発生器は、点火器等の点火装置と、点火装置によって燃焼し、燃焼ガスを発生させるガス発生剤とを含んでおり、一般には、カップ状部材内に点火装置と接触するようにしてガス発生剤が充填されている。
【０００３】
プリテンショナー用の小型ガス発生器は、例えば特許文献１に記載されている。この文献に記載されている小型ガス発生器は、ガス発生剤を収容するカップ状部材の内側が単一の空間になっており、その単一空間にガス発生剤が充填されている。またカップ状部材の周壁部には、燃焼ガスを排出するときに開裂する脆弱部が設けられている。
【０００４】
特許文献１の小型ガス発生器では、点火装置の着火によって、カップ状部材内に充填されたガス発生剤がほぼ一斉に着火・燃焼して、瞬時のうちに燃焼ガスを発生させ、脆弱部が破壊され、そこから燃焼ガスが放出されるものである。
【０００５】
しかし、このように一度に燃焼ガスを発生させるような小型ガス発生器を、シートベルトリトラクタに組み込んだ場合、短時間で大量のガスがシートベルトリトラクタへ供給されることから、シートベルトリトラクタに負荷がかかりやすい。そのため部品強度を強くしたり、組付けを丈夫にする等の必要が出てくることから、製造コストが上昇してしまう。
【特許文献１】特開２００５−２２５２７４号公報
【発明の開示】
【発明が解決しようとする課題】
【０００６】
本発明は、出力の立ち上がりが比較的緩やかで、リトラクタに負荷をかけにくい小型ガス発生器を提供することを課題とする。
【課題を解決するための手段】
【０００７】
〔請求項１〕
本発明は、課題の解決手段として、
着火部を有する１つの点火器が点火器カラーに固定された点火器組立体と、少なくとも前記点火器の着火部を含む部分を覆う外側カップ部材とを有しているガス発生器であって、
前記カップ部材内部が１又は２以上の仕切部材により、２以上の燃焼室に分離され、前記１又は２以上の燃焼室にガス発生剤が収容されており、
前記点火器の作動により、１つの燃焼室内が発熱することで他の燃焼室内のガス発生剤の燃焼が開始される、シートベルトリトラクタ用ガス発生器を提供する。
【０００８】
本発明において「外側カップ部材」とは、１つのカップ部材の内部に、更に仕切部材として１又は２以上の他のカップ部材を配置した場合において、外側のカップ部材と、その内部に配置されたカップ部材（内側カップ部材）とを区別する意味で使用している。
【０００９】
本発明で用いる仕切部材は、外側カップ部材内部を複数の空間（燃焼室）に分離できるものであればよく、円板状、カップ状、その他の所望形状にすることができる。燃焼室は２以上あり、少なくとも１つの燃焼室にガス発生剤が収容されていればよい。よって、全ての燃焼室にガス発生剤が収容されていてもよいし、ガス発生剤が収容されていない燃焼室があってもよい。ガス発生剤が収容されていない燃焼室には、点火器の着火部が配置される。前記仕切部材で分離される複数の燃焼室の容積や形状は特に制限されず、各燃焼室に収容されるガス発生剤の組成、量、形状も特に制限されない。
【００１０】
本発明のシートベルトリトラクタ用ガス発生器では、仕切部材で複数の燃焼室に分離されているため、点火器の作動により、１つの燃焼室内のガス発生剤が着火燃焼するか、又は点火器の着火部の着火薬が着火燃焼されることで発熱（火炎、高温ガス等）が生じ、それにより、他の燃焼室内のガス発生剤が着火されて燃焼が開始される。
【００１１】
なお、各燃焼室は分離されているため、燃焼室同士を連通する孔は存在せず、１つの燃焼室内の発熱（上記のとおり、ガス発生剤の燃焼又は着火薬の燃焼による発熱）により、仕切部材が高温に発熱すること（仕切部材を通した熱伝導）や、仕切部材が焼尽乃至は変形等することで、他の燃焼室のガス発生剤に伝火される。また、各燃焼室を分離する仕切部材に連通孔を設け、前記連通孔をシールテープで閉塞しておき、１つの燃焼室内の発熱により、前記シールテープが破壊されて連通孔が開放され、開放された連通孔を通して他の燃焼室内のガス発生剤が着火燃焼されるようにしてもよい。
【００１２】
よって、カップ部材内に収容されたガス発生剤の全量が一度に着火燃焼されることはなく、徐々に着火燃焼されることになるため、全量が一度に着火燃焼した場合と比べると、初期の燃焼が抑制され、作動初期のガス発生量が抑制される（即ち、初期の出力の立ち上がりが抑制される）。
【００１３】
そして、このように作動初期の出力の立ち上がりが抑制されているため、組み合わせるシートベルトリトラクタへの負荷が小さくなり、リトラクタの部品強度を高くする必要がなくなる。そのため、リトラクターの製造コストを抑えることができる。
【００１４】
各燃焼室に収容されるガス発生剤は、形状と充填量は同じでもよいし、異なっていてもよい。なお、燃焼室ごとにガス発生剤の形状を異ならせる場合、遅れて燃焼するガス発生剤の単位質量当たりの面積を大きくすると、シートベルトリトラクタへの負荷を小さくしたまま、作動初期の出力立ち上がりの遅れを補って、従来のガス発生器並みの出力を得ることができ、前記出力に到達する時間も同じにすることができる。
【００１５】
また仕切り板の配置の仕方や各燃焼室に充填されるガス発生剤の量によって、種々の出力形態のガス発生器にすることができるため、組み合わせるリトラクターの作動性能に応じた出力形態のガス発生器を提供できる。
【００１６】
〔請求項２〕
本発明は、課題の他の解決手段として、
前記外側カップ部材内部が、２つの仕切部材により、軸方向に３つの燃焼室が形成されるように分離されており、前記３つの燃焼室の内、中間の燃焼室が前記着火部を含んでおり、全ての燃焼室にガス発生剤が収容されている、請求項１記載のシートベルトリトラクタ用ガス発生器を提供する。
【００１７】
このように軸方向に３つの燃焼室を形成すると、構造が簡単で組立も容易になる。更に点火器の着火部を含む中間の燃焼室からガス発生剤の燃焼が開始されるため、隣接する両方も燃焼室内のガス発生剤は、ほぼ同時に燃焼させることができる。３つの燃焼室は、全てにガス発生剤が充填されている。
【００１８】
〔請求項３〕
本発明は、課題の他の解決手段として、前記外側カップ部材内部が、１つの仕切部材により、２つの燃焼室に分離され、一方の燃焼室内に前記着火部が位置し、前記仕切部材が２つの燃焼室を連通する連通孔を有しており、前記連通孔の開口面積を調整することにより、他の燃焼室への伝火を調整する、請求項１又は２記載のシートベルトリトラクタ用ガス発生器を提供する。
【００１９】
連通孔は開口していてもよいし、作動時に容易に破壊されるアルミニウムテープのようなもので閉塞されていてもよい。
【００２０】
２つの燃焼室を分離する仕切部材に連通孔が形成されているため、一方の燃焼室内で発生した火炎や高温ガス等の燃焼生成物は、連通孔を通って他の燃焼室内に入り、その中にあるガス発生剤を着火燃焼させる。
【００２１】
本発明では、前記連通孔の開口面積を調整することにより、一方の燃焼室から他方の燃焼室内に流入する燃焼生成物の量を制御することで、作動初期の燃焼が抑制され、初期のガス発生量が抑制される（即ち、初期の出力の立ち上がりが抑制される）ようにするものである。
【００２２】
〔請求項４〕
本発明は、課題の他の解決手段として、前記外側カップ部材内部が、１つの仕切部材により、２つの燃焼室に分離され、一方の燃焼室内に前記着火部が位置し、前記仕切部材が２つの燃焼室を連通する連通孔を有しており、前記連通孔の開口位置を調整することにより、他の燃焼室への伝火を調整する、請求項１〜３のいずれかに記載のシートベルトリトラクタ用ガス発生器を提供する。
【００２３】
連通孔は開口していてもよいし、作動時に容易に破壊されるアルミニウムテープのようなもので閉塞されていてもよい。
【００２４】
２つの燃焼室を分離する仕切部材に連通孔が形成されているため、一方の燃焼室内で発生した火炎や高温ガス等の燃焼生成物は、連通孔を通って他の燃焼室内に入り、その中にあるガス発生剤を着火燃焼させる。
【００２５】
このとき、連通孔付近にあるガス発生剤が先に着火燃焼され、連通孔から離れた位置にあるガス発生剤は遅れて着火燃焼されることになる。このため、仕切部材の連通孔の形成位置を調整して、連通孔付近に存在するガス発生量を少なくし、連通孔から離れた位置にあるガス発生剤量を多くすることにより、作動初期の燃焼が抑制され、初期のガス発生量が抑制される（即ち、初期の出力の立ち上がりが抑制される）ようにするものである。
【００２６】
〔請求項５〕
本発明は、課題の他の解決手段として、
前記１つの仕切部材が、前記着火部に被せられた内側カップ部材であり、前記内側カップ部材の外側に更に前記外側カップ部材が被せられており、
前記内側カップ部材が、前記連通孔を有する外壁面と前記連通孔を有していない外壁面からなり、前記連通孔を有する外壁面と前記外側カップ部材の内壁面との間隔が、前記連通孔を有していない外壁面と前記外側カップ部材の内壁面との間隔よりも小さい、請求項３又は４記載のシートベルトリトラクタ用ガス発生器を提供する。
【００２７】
このように連通孔を有する外壁面と外側カップ部材の内壁面との間隔＜連通孔を有していない外壁面と外側カップ部材の内壁面との間隔、の関係にした場合、外側カップ部材内にガス発生剤を収容したとき、連通孔を有する外壁面と外側カップ部材の内壁面の間に存在するガス発生剤量の方が、連通孔を有していない外壁面と外側カップ部材の内壁面の間に存在するガス発生剤量よりも少なくなる。
【００２８】
よって、上記したとおり、連通孔の開口面積又は連通孔の開口位置を調整することにより、作動初期の燃焼が抑制され、初期のガス発生量が抑制される（即ち、初期の出力の立ち上がりが抑制される）。
【００２９】
〔請求項６〕
本発明は、課題の他の解決手段として、前記内側カップ部材の連通孔を有する外壁面が底面であり、前記内側カップ部材の連通孔を有していない外壁面が周面であるか、又は前記内側カップ部材の連通孔を有する外壁面が周面であり、前記内側カップ部材の連通孔を有していない外壁面が底面である、請求項５記載のシートベルトリトラクタ用ガス発生器を提供する。
【００３０】
外側カップ部材と、その内部に配置される内側カップ部材の大きさと形状を適宜設定し、更に内側カップ部材に形成される連通孔の位置を調整することにより、上記した「連通孔を有する外壁面と外側カップ部材の内壁面との間隔＜連通孔を有していない外壁面と外側カップ部材の内壁面との間隔」、の関係を満たすことができる。
【発明の効果】
【００３１】
本発明のガス発生器によれば、作動初期の燃焼が抑制され、最大出力を低下させることなく、初期の出力の立ち上がりを抑制することができる。よって、組み合わせるシートベルトリトラクタの強度を必要以上に上げることなく、構造が簡素で組み立てやすいリトラクターにできる。更にはガス発生器の作動性能をリトラクターに合わせて調整することができるため、リトラクターへの適応範囲が広いガス発生器を提供することができる。
【発明を実施するための最良の形態】
【００３２】
（１）図１のガス発生器
図１は、シートベルトリトラクタ用ガス発生器１の縦断面図である。
【００３３】
点火器組立体１０は、電気式の点火器１１が点火器カラー１２に嵌め込まれて固定されたものである。点火器１１は、着火薬（例えば、ジルコニウムと過塩素酸塩を含むもの）が充填された着火部１３を有しており、導電ピン１４を介して外部電源に接続される。点火器カラー１２は金属製のものであり、開口部周縁１５（かしめ部１５）をかしめることで、点火器１１が固定されている。
【００３４】
カップ部材２０は、幅方向の断面が円形のもので、開口部にフランジ２１が形成されており、周壁部には、他の周壁部よりも肉厚を薄くして形成された脆弱部２２が形成されている。カップ部材２０は、フランジ２１において点火器カラー１２の環状突起部１６をかしめることで、点火器カラー１２に固定されると共に、内部が外部雰囲気から遮断されている。
【００３５】
カップ部材２０の内部は、第１仕切板３１と第２仕切板３２により、第１燃焼室４１、第２燃焼室４２、第３燃焼室４３に分離されている。第１燃焼室４１には第１ガス発生剤５１が密に充填され、第２燃焼室４２には第２ガス発生剤５２が密に充填され、第３燃焼室４３には第３ガス発生剤５３が密に充填されている。第１仕切板３１と第２仕切板３２は、厚さ０．５ｍｍのステンレス製の板で形成されている。いずれのガス発生剤も、同一組成比、同一形状、同一大きさである。
【００３６】
第１仕切板３１は、円板状のものであり、第１燃焼室４１に充填された第１ガス発生剤５１で一方の面が支持され、第２燃焼室４２に充填された第２ガス発生剤５２と着火部１３により、他方の面が支持されている。
【００３７】
第２仕切板３２は、環状平板部３２ａと孔から垂直方向に形成された環状突起部３２ｂを有しており、環状突起部３２ｂの内周面は着火部１３の一部周面に当接されており、着火部１３の残部周面は第２燃焼室４２内に露出されている。環状平板部３２ａは、第２燃焼室４２に充填された第２ガス発生剤５２で一方の面が支持され、第３燃焼室４３に充填された第３ガス発生剤５３とかしめ部１５により、他方の面が支持されている。
【００３８】
次に、シートベルトリトラクタ用ガス発生器１の動作を説明する。点火器１１が作動したとき、着火部１３から燃焼生成物が発生する。これが、第２燃焼室４２に存在する第２ガス発生剤５２を先に着火させる。これによって、カップ部材２０周壁部の脆弱部２２が開裂し、開裂部分から燃焼ガスが排出される。それと同時に仕切り板３１、３２を通して第２燃焼室４２内の燃焼熱が伝わり、第１燃焼室４１の第１ガス発生剤５１及び第３燃焼室４３の第３ガス発生剤５３が着火され、燃焼が開始される。
【００３９】
図１のガス発生器では、仕切り板３１、３２を通して第２燃焼室４２内の燃焼熱が伝わることで、第１ガス発生剤５１及び第３ガス発生剤５３が着火燃焼されるが、仕切り板３１、３２にシールテープで閉塞された連通孔を設け、前記シールテープが開裂して前記連通孔が開放されることで、第１ガス発生剤５１及び第３ガス発生剤５３が着火燃焼されるようにしてもよい。
【００４０】
このようにして、第２ガス発生剤５２が先に着火燃焼され、遅れて第１ガス発生剤５１と第３ガス発生剤５３が着火燃焼されるため、作動初期の燃焼が抑制され、初期のガス発生量が抑制される（即ち、初期の出力の立ち上がりが抑制される）。このことは、このガス発生器１が組み付けられるプリテンショナーへの負荷を抑えることになり、プリテンショナーの部品強度を上げる必要がなくなるため、組立が容易となる。
【００４１】
（２）図２のガス発生器
図２は、別実施形態であるシートベルトリトラクタ用ガス発生器２の縦断面図である。図１と同一番号は、同一の構成要素であることを意味する。なお、本実施形態では、内側カップ部材６０を使用しているため、「カップ部材２０」は「外側カップ部材２０」と称する。
【００４２】
図２では、仕切部材として内側カップ部材６０を使用しており、内側カップ部材６０は、その内径と点火器の着火部１３の外径を調整することで、開口部側から着火部１３に嵌め込まれている。内側カップ部材６０は、厚さ０．５ｍｍのステンレス製のものである。内側カップ部材６０と外側カップ部材２０との間が燃焼室４４となり、ガス発生剤５４が密に充填されている。
【００４３】
内側カップ部材６０は、周面６１と底面６２を有し、底面６２の中央部には開口部６３が形成されている。開口部６３は、点火器１１が作動したとき、発生した燃焼生成物が放出される孔であるため、開口面積を増減することで、燃焼生成物の時間当たりの放出量を制御することができる。なお、開口部６３の直径がガス発生剤５４の最小長さよりも小さいときは開口したままでもよいが、大きいときは、開口部６３から内部空間６４にガス発生剤５４が入り込むことを防止するため、アルミニウム等のシールテープで閉塞される。着火部１３と内側カップ部材６０で囲まれた空間６４内には、ガス発生剤５４は存在していないが、ガス発生剤５４の着火を補助するための伝火薬又は伝火薬として作用するガス発生剤を配置してもよい。
【００４４】
内側カップ部材６０の底面６２と外側カップ部材２０の底面２０ｂとの間隔の方が、内側カップ部材６０の周面６１と外側カップ部材２０の周面２０ａとの間隔よりも小さくなるように設定されている。このため、ガス発生剤５４の単位容積当たりの充填量は、内側カップ部材の底面６２側は、内側カップ部材の周面６１側よりも少なくなっている。
【００４５】
次に、シートベルトリトラクタ用ガス発生器２の動作を説明する。点火器１１が作動したとき、着火部１３から燃焼生成物が発生し、内側カップ部材の開口部６３から外側カップ部材の底面２０ｂに向かって放出される。このとき、開口部６３の開口面積により、放出量が制御される。
【００４６】
そして、最初に開口部６３に面した、内側カップ部材の底面６２と外側カップ部材の底面２０ｂの間にあるガス発生剤５４が着火燃焼され、発生した少量のガスで脆弱部２２が開裂してガスを外部に放出する。続いて、内側カップ部材の周面６１と外側カップ部材の周面２０ａの間にあるガス発生剤５４が着火燃焼される。それによって発生したガスも、開裂した脆弱部２２から外部へ放出される。
【００４７】
このようにして、開口部６３に面した位置にあるガス発生剤５４が先に着火燃焼され、開口部６３から離れた位置にあるガス発生剤５４が遅れて着火燃焼されるため、作動初期の燃焼が抑制され、初期のガス発生量が抑制される（即ち、初期の出力の立ち上がりが抑制される）。このことは、このガス発生器２が組み付けられるプリテンショナーへの負荷を抑えることになり、プリテンショナーの部品強度を上げる必要がなくなるため、組立が容易となる。
【００４８】
（３）図３のガス発生器
図３は、別実施形態であるシートベルトリトラクタ用ガス発生器３の縦断面図である。図１と同一番号は、同一の構成要素であることを意味する。なお、本実施形態では、内側カップ部材７０を使用しているため、「カップ部材２０」は「外側カップ部材２０」と称する。
【００４９】
図３では、仕切部材として内側カップ部材７０を使用しており、内側カップ部材７０は、その内径と点火器の着火部１３の外径を調整することで、開口部側から着火部１３に嵌め込まれている。内側カップ部材７０は、厚さ０．５ｍｍのステンレス製のものである。内側カップ部材７０と外側カップ部材２０との間が燃焼室４５となり、ガス発生剤５５が密に充填されている。
【００５０】
内側カップ部材７０は、周面７１と底面７２を有し、周面７２には等間隔に複数の開口部７３が形成されている。開口部７３は、点火器１１が作動したとき、発生した燃焼生成物が放出される孔であるため、開口面積を増減することで、燃焼生成物の時間当たりの放出量を制御することができる。なお、開口部７３の直径がガス発生剤５５の最小長さよりも小さいときは開口したままでもよいが、大きいときは、開口部７３から内部空間７４にガス発生剤５５が入り込むことを防止するため、アルミニウム等のシールテープで閉塞される。着火部１３と内側カップ部材７０で囲まれた空間７４内には、ガス発生剤５５は存在していないが、ガス発生剤５５の着火を補助するための伝火薬を配置してもよい。
【００５１】
内側カップ部材７０の周面７１と外側カップ部材２０の周面２０ａとの間隔の方が、内側カップ部材７０の底面７２と外側カップ部材２０の底面２０ｂとの間隔よりも小さくなるように設定されている。このため、ガス発生剤５５の単位容積当たりの充填量は、内側カップ部材の周面７１側は、内側カップ部材の底面７２側よりも少なくなっている。
【００５２】
次に、シートベルトリトラクタ用ガス発生器３の動作を説明する。点火器１１が作動したとき、着火部１３から燃焼生成物が発生し、内側カップ部材の開口部７３から外側カップ部材の周面２０ａに向かって放出される。このとき、開口部７３の開口面積により、放出量が制御される。
【００５３】
そして、最初に開口部７３に面した、内側カップ部材の周面７１と外側カップ部材の周面２０ａの間にあるガス発生剤５５が着火燃焼され、発生した少量のガスで外側カップ部材２０が開裂し、ガスを外部に放出する。図１，図２のような脆弱部を設けた場合には、前記脆弱部が開裂し、続いて、内側カップ部材の底面７２と外側カップ部材の底面２０ｂの間にあるガス発生剤５５が着火燃焼される。それによって発生したガスも、カップ部材２０の開裂部分から外に放出される。
【００５４】
このようにして、開口部７３に面した位置にあるガス発生剤５５が先に着火燃焼され、開口部７３から離れた位置にあるガス発生剤５５が遅れて着火燃焼されるため、作動初期の燃焼が抑制され、初期のガス発生量が抑制される（即ち、初期の出力の立ち上がりが抑制される）。このことは、このガス発生器３が組み付けられるプリテンショナーへの負荷を抑えることになり、プリテンショナーの部品強度を上げる必要がなくなるため、組立が容易となる。
【実施例】
【００５５】
実施例１、比較例１
図１に示すガス発生器１と、図１に示すガス発生器１において第１及び第２仕切部材３１、３２がない他は全く同一の比較用ガス発生器を用いて、下記の容量２７ｍｌの密閉タンク燃焼試験を行った。結果を図４に示す。
【００５６】
＜タンク燃焼試験＞
内容積２７ｍｌのSUS（ステンレス鋼）製タンク内に、ガス発生器を固定し、室温においてタンクを密閉後、外部着火電気回路に接続する。別にタンクに設置された圧力トランスデューサーにより、着火電気回路スイッチを入れた（着火電流印加）時間を０として、タンク内の圧力上昇変化を時間０〜５０ミリ秒の間測定する。各測定データをコンピュータ処理により最終的にタンク圧力／時間曲線として、ガス発生剤成型体の性能を評価する曲線（タンクカーブ）を得る。
【００５７】
実施例１のガス発生器は、比較例１のガス発生器と比べると、初期の出力の立ち上がりが抑制されていたが、最大出力は差が殆どなかった。
【００５８】
実施例２、比較例２
図２に示すガス発生器２と、図２に示すガス発生器２において内側カップ部材６０がない他は全く同一の比較用ガス発生器を用いて、実施例１と同じ周知の６０Ｌタンク燃焼試験を行った。結果を図５に示す。
【００５９】
実施例２のガス発生器は、比較例２のガス発生器と比べると、初期の出力の立ち上がりが抑制されていたが、最大出力は差がなかった。
【図面の簡単な説明】
【００６０】
【図１】本発明のガス発生器の縦断面図。
【図２】他実施形態のガス発生器の縦断面図。
【図３】更に他実施形態のガス発生器の縦断面図。
【図４】実施例１、比較例１における２７ｍｌ密閉タンク燃焼試験の結果を示す図。
【図５】実施例２、比較例２における２７ｍｌ密閉タンク燃焼試験の結果を示す図。
【符号の説明】
【００６１】
１、２、３  ガス発生器
１０  点火器組立体
１１  点火器
１２  点火器カラー
２０  カップ部材（外側カップ部材）
３１  第１仕切部材
３２  第２仕切部材
４１  第１燃焼室
４２  第２燃焼室
４３  第３燃焼室
５１  第１ガス発生剤
５２  第２ガス発生剤
５３  第３ガス発生剤
【図１】
2008068792.tif 000003
【図２】
2008068792.tif 000004
【図３】
2008068792.tif 000005
【図４】
2008068792.tif 000006
【図５】
2008068792.tif 000007